(57)【要約】【課題】  予め決められたフレーム数の動画を記録する際、記録メディアの残容量を最適な形式で表示する。【解決手段】  １回の撮影において所定フレーム数の動画を撮影するフレーム記録モードやインターバル記録モードにおいて、記録可能な動画の時間が所定の時間よりも少なくなった場合は、記録媒体の残容量の情報として、記録可能時間ではなく、所定フレーム数の動画を撮影可能な回数を表示する。【選択図】  図７
2011217088.tif 000002
【特許請求の範囲】
【請求項１】
動画を撮影する撮像手段と、
前記撮像手段により撮影した動画を記録媒体に記録する記録手段と、
前記記録媒体の残容量の情報として、前記記録媒体に記録可能な動画の時間を表示する表示手段とを有し、
前記表示手段は、１回の撮影において所定フレーム数の動画を撮影する動画撮影モードにおいて、前記記録可能な動画の時間が所定の時間よりも少なくなった場合は、前記記録媒体の残容量の情報として、前記所定フレーム数の動画を撮影可能な回数を表示することを特徴とする撮像装置。
【請求項２】
前記撮像装置は、撮影開始指示が入力されてから撮影終了指示が入力されるまで撮影された動画を１つの動画ファイルとして前記記録媒体に記録する第１の動画撮影モードと、１回の撮影において所定フレーム数の動画を撮影し、時間をあけて撮影した複数の所定フレーム数の動画を、１つの動画ファイルとして前記記録媒体に記録する第２の動画撮影モードとを有することを特徴とする請求項１に記載の撮像装置。
【請求項３】
前記表示手段は、前記第１の動画撮影モードにおいて、前記記録可能な動画の時間が所定の時間よりも少なくなった場合は、前記記録媒体の残容量が少ないことを通知するための警告表示を行い、前記第２の動画撮影モードにおいて、前記所定フレーム数の動画を撮影可能な回数が所定の回数よりも少なくなった場合は、前記記録媒体の残容量が少ないことを通知するための警告表示を行うことを特徴とする請求項２に記載の撮像装置。
【請求項４】
前記撮像装置は、撮影開始指示が入力されてから撮影終了指示が入力されるまで撮影された動画を１つの動画ファイルとして前記記録媒体に記録する第１の動画撮影モードと、１回の撮影において所定フレーム数の動画を撮影し、時間をあけて撮影した複数の所定フレーム数の動画を、１つの動画ファイルとして前記記録媒体に記録する第２の動画撮影モードとを有し、
前記表示手段は、前記記録可能な動画の時間が所定の時間よりも大きい場合は、前記記録可能な動画の時間を表示し、前記第１の動画撮影モードにおいて、前記記録可能な動画の時間が所定の時間よりも少なくなった場合は、前記記録可能な動画の時間を警告表示し、前記第２の動画撮影モードにおいて、前記記録可能な動画の時間が所定の時間よりも少なくなった場合は、前記所定フレーム数の動画を撮影可能な回数を表示し、前記第２の動画撮影モードにおいて、前記所定フレーム数の動画を撮影可能な回数が所定の回数よりも少なくなった場合は、前記所定フレーム数の動画を撮影可能な回数を警告表示することを特徴とする請求項３に記載の撮像装置。
【請求項５】
前記第１の動画撮影モードでは、撮影開始指示が入力されてから撮影終了指示が入力されるまで撮影された動画を１つの動画ファイルとして前記記録媒体に記録し、
前記第２の動画撮影モードでは、撮影開始指示が入力されたことに応じて所定フレーム数の動画を撮影し、複数回の撮影で得られた複数の所定フレーム数の動画を、１つの動画ファイルとして前記記録媒体に記録することを特徴とする請求項２ないし４のいずれか１項に記載の撮像装置。
【請求項６】
前記第２の動画撮影モードは、撮影開始指示が入力されたことに応じて所定フレーム数の動画の撮影を開始する第３の動画撮影モードと、前回の所定フレーム数の動画の撮影終了から所定時間が経過したことに応じて次の所定フレーム数の動画の撮影を開始する第４の動画撮影モードを有することを特徴とする請求項２に記載の撮像装置。
【請求項７】
前記第４の動画撮影モードの場合、前記記録媒体の残容量に基づいて、撮影が不可能になるまでの時間を表示することを特徴とする請求項６に記載の撮像装置。
【請求項８】
前記表示手段は、前記記録可能な動画の時間が所定の時間よりも大きい場合は、前記記録可能な動画の時間を表示し、前記第１の動画撮影モードにおいて、前記記録可能な動画の時間が所定の時間よりも少なくなった場合は、前記記録可能な動画の時間を警告表示し、前記第３の動画撮影モードにおいて前記記録可能な動画の時間が所定の時間よりも少なくなった場合は、前記所定フレーム数の動画を撮影可能な回数を表示し、前記第３の動画撮影モードにおいて、前記所定フレーム数の動画を撮影可能な回数が所定の回数よりも少なくなった場合は、前記所定フレーム数の動画を撮影可能な回数を警告表示し、前記第４の動画撮影モードにおいて前記記録可能な動画の時間が所定の時間よりも少なくなった場合は、撮影が不可能になるまでの時間を表示し、前記第４の動画撮影モードにおいて前記撮影が不可能になるまでの時間が所定の時間よりも少なくなった場合は、警告表示を行うことを特徴とする請求項７に記載の撮像装置。
【請求項９】
動画を撮影し、記録媒体に記録する撮像装置であって、
撮影開始指示が入力されてから撮影終了指示が入力されるまでの動画を１つの動画ファイルとして前記記録媒体に記録する第１の動画撮影モードと、１回の撮影において所定フレーム数の動画を撮影し、時間をあけて複数回撮影した複数の所定フレーム数の動画を、１つの動画ファイルとして前記記録媒体に記録する第２の動画撮影モードとを切り替えるための切り替え手段と、
前記記録媒体の残容量に関する情報を表示するための表示手段と、
前記表示手段への表示を制御する制御手段であって、前記第１の動画撮影モードの場合は、前記記録媒体の残容量に関する情報として、撮影可能な動画の時間を表示させ、前記第２の動画撮影モードの場合は、前記所定フレーム数の動画を撮影可能な回数を表示させる表示制御手段を有することを特徴とする撮像装置。
【請求項１０】
前記撮像手段により撮像した動画を、前記記録媒体に記録する前に一時記録するメモリを有し、
前記表示手段は、前記メモリに一時記録されている動画が、前記記録媒体に記録されていない状態であっても、前記メモリに一時記録されている動画を前記記録媒体に記録したのちに前記記録媒体に記録可能となる動画の時間、または、前記所定フレーム数の動画を撮影可能な回数を表示することを特徴とする請求項１ないし９のいずれか１項に記載の撮像装置。
【請求項１１】
前記第２の動画撮影モードでは、前記第２の動画撮影モードでの撮影を開始してから前記第２の動画撮影モードを終了するまでに撮影された動画を、１つの動画ファイルとして記録することを特徴とする請求項２ないし１０のいずれか１項に記載の撮像装置。
【請求項１２】
前記第４の動画撮影モードは、所定フレーム数の動画を前記記録媒体に記録不可能なることに応じて、前記第４の動画撮影モードを終了することを特徴とする請求項６ないし８のいずれか１項に記載の撮像装置。
【請求項１３】
動画を撮影する撮像手段と、
前記撮像手段により撮影した動画を記録媒体に記録する記録手段と、
前記記録媒体の残容量に基づいて、前記記録媒体に記録可能な動画の時間を表示する表示手段とを有し、
前記表示手段は、前記記録可能な動画の時間が所定の時間よりも少なくなった場合は、前記記録媒体に記録可能なフレーム数に関する情報を表示することを特徴とする撮像装置。
【請求項１４】
動画を撮影する撮像工程と、
前記撮像手段により撮影した動画を記録媒体に記録する記録工程と、
前記記録媒体の残容量の情報として、前記記録媒体に記録可能な動画の時間を表示する表示工程とを有し、
前記表示工程では、１回の撮影において所定フレーム数の動画を撮影する動画撮影モードにおいて、前記記録可能な動画の時間が所定の時間よりも少なくなった場合は、前記記録媒体の残容量の情報として、前記所定フレーム数の動画を撮影可能な回数を表示することを特徴とする撮像装置の制御方法。
【請求項１５】
動画を撮影し、記録媒体に記録する撮像装置であって、撮影開始指示が入力されてから撮影終了指示が入力されるまでの動画を１つの動画ファイルとして前記記録媒体に記録する第１の動画撮影モードと、１回の撮影において所定フレーム数の動画を撮影し、時間をあけて複数回撮影した複数の所定フレーム数の動画を、１つの動画ファイルとして前記記録媒体に記録する第２の動画撮影モードとを有する撮像装置の制御方法であって、
前記記録媒体の残容量に関する情報を表示するための表示工程であって、前記第１の動画撮影モードの場合は、前記記録媒体の残容量に関する情報として、撮影可能な動画の時間を表示させ、前記第２の動画撮影モードの場合は、前記所定フレーム数の動画を撮影可能な回数を表示させる表示工程を有することを特徴とする撮像装置の制御方法。
【請求項１６】
動画を撮影する撮像工程と、
前記撮像手段により撮影した動画を記録媒体に記録する記録工程と、
前記記録媒体の残容量に基づいて、前記記録媒体に記録可能な動画の時間を表示する表示工程とを有し、
前記表示工程では、前記記録可能な動画の時間が所定の時間よりも少なくなった場合は、前記記録媒体に記録可能なフレーム数に関する情報を表示することを特徴とする撮像装置の制御方法。
【発明の詳細な説明】
【技術分野】
【０００１】
本発明は、動画の撮像が可能な撮像装置に関するものである。
【背景技術】
【０００２】
動画撮影と静止画撮影が併用可能な撮像装置においては、動画撮影モードから静止画撮影モードへ移行した場合に動画記録可能時間から静止画撮影可能枚数へ残容量の表示単位を変更するものが存在する（特許文献１参照）。また、動画撮影と静止画撮影が同時に行える装置に関しても、残時間、残枚数の両方を表示するものが存在する  （特許文献２参照）。
【先行技術文献】
【特許文献】
【０００３】
【特許文献１】特開２０００−２９９８００
【特許文献２】特開２００１−１６４９０
【発明の概要】
【発明が解決しようとする課題】
【０００４】
上記従来例では、動画記録可能時間と静止画撮影可能枚数のどちらか一方、あるいは両方とも表示する方法であったため、以下のような問題点があった。
【０００５】
しかし、動画撮影装置などにおいて、一定数の動画フレームを間欠的に撮影し、クレーアニメや植物の成長記録を作成する技術が存在する。このような動画撮像装置においては、動画を間欠記録中に、あと何ショット記録が可能かを明確に確認しながら撮影できるものがなかった。
【０００６】
そこで、本発明では、動画を撮影する撮影装置において、１ショットの動画撮影で一定数のフレームの動画を撮影する場合に、記録媒体に残り記録が可能な動画の量を確認しやすい撮像装置を提供することを目的とする
【課題を解決するための手段】
【０００７】
上述の課題を解決するため、本発明の撮像装置は、動画を撮影する撮像手段と、撮像手段により撮影した動画を記録媒体に記録する記録手段と、記録媒体の残容量の情報として、記録媒体に記録可能な動画の時間を表示する表示手段とを有し、表示手段は、１回の撮影において所定フレーム数の動画を撮影する動画撮影モードにおいて、記録可能な動画の時間が所定の時間よりも少なくなった場合は、記録媒体の残容量の情報として、所定フレーム数の動画を撮影可能な回数を表示することを特徴とする。
【発明の効果】
【０００８】
上記の構成を有することにより、１回の撮影において所定フレーム数の動画を撮影する動画撮影モードにおいても、記録媒体の容量を確認しやすい撮像装置を提供することが可能となる。
【図面の簡単な説明】
【０００９】
【図１】デジタルビデオカメラ（ＤＶＣ）の構成図である。
【図２】記録容量の残量表示の１例である。
【図３】記録容量の残量表示の１例である。
【図４】記録容量の残量表示の１例である。
【図５】動画撮影処理のフローチャートである。
【図６】通常撮影モード時の残量表示処理のフローチャートである。
【図７】フレーム記録モード時の残量表示処理のフローチャートである。
【図８】インターバル記録モード時の残量表示処理のフローチャートである。
【発明を実施するための形態】
【００１０】
本実施形態では、撮像装置において動画をフレーム記録モードやインターバル記録モード等の間欠記録するときに、記録媒体の残容量が一定の記録可能時間以上の場合は時間単位の残容量表示を行う。そして、残容量が一定の記録可能時間以下の場合には、記録可能な撮影回数の単位で残容量表示を行う。
【００１１】
ここで、間欠記録とは以下のような動画の記録モードである、まず、動画撮影を開始すると所定フレーム数の動画を１ショット分の動画として撮影し、その後、期間をあけてからまた所定数のフレームの動画を撮影を開始する。そして、撮影した動画は、所定数のフレーム、つまり、ショットごとにそれぞれファイルとして記録するのではなく、時間をあけて複数回撮影した複数ショットの動画を１つの動画としてつなげて、１つの動画ファイルとして記録する。本実施形態では、間欠記録モードとして、フレーム記録モードと、インターバル記録モードとがある。また、本実施形態において、撮影開始から終了までの時間的に連続した１まとまりの動画を１ショットの動画として示している。
【００１２】
１、デジタルビデオカメラの構成
図１は本発明の実施形態に係る撮像装置の一例としてのビデオカメラ（以下ＤＶＣ）１００の構成例を示している。ＤＶＣ１００は、内部バス１１１で接続された撮影部１０１、ＣＰＵ１０２、メモリ１０３、ディスプレイ１０４、操作部１０５、メモリカード１０６を備えている。撮影部１０１は、動画や静止画を撮影し、撮影した画像情報を取り込む。ＣＰＵ１０２は画像情報の記録、再生等の各種処理を行う。例えば、撮影部１０１で取り込んだ画像情報を画像ファイルとしてメモリカード１０６に記録する記録制御処理や、メモリカードに記録した画像ファイルを読み出して、ディスプレイ１０４に表示させたりする表示制御処理を行う。ＣＰＵは、不図示のプログラムメモリからプリグラムを読み出し、読み出したプログラムに基づいて、各部の制御や演算を行って各種の処理を実行させる。操作部１０５は、操作スイッチやボタン等から構成されており、この操作部を介してユーザからの指示を受け付け、ＣＰＵがこの指示の入力を検出すると、指示に対応する処理を実行する。ディスプレイ１０４は、ＣＰＵの制御のもとで、撮影部で撮影中の画像や、メモリカードに記録されている画像や、メニュー画面等のグラフィックユーザインターフェースを表示する。ディスプレイ１０４、操作部１０５としてタッチパネルを用いても良い。メモリカード１０６は、ＤＶＣに着脱可能に構成されており、画像ファイルを記録するための記録媒体として使用される。本実施形態では画像を記録するための記録媒体としてメモリカードを用いたが、ＤＶＣに内蔵されたＨＤＤ等を用いても良い。メモリ１０３はＣＰＵ１０２のワークエリアとして使用される。
【００１３】
２、撮影処理
図５を参照して、本実施形態のＤＶＣにおける撮影時の処理について説明する。なお、これらの処理はプログラムメモリから読み出したプログラムに基づいて、ＣＰＵ１０２がＤＶＣの各部を制御することにより実行される。なお、図５では、撮影および記録の処理について説明する。撮影時のディスプレイへのメモリカードの記録残量表示については、後に図３を参照して説明する。
【００１４】
まず、Ｓ５０１において、動画撮影モードを判断する。動画撮影モードは、ユーザが操作部１０５を操作することにより切り替え可能である。通常の動画撮影モードの場合は、Ｓ５０２に遷移し、フレーム記録モードの場合はＳ５０６、インターバル記録モードの場合はＳ５１１に遷移する。
【００１５】
２−１、通常撮影モード
Ｓ５０２において、ユーザーにより操作部１０５の撮影ボタンが押下され、撮影撮影開始の指示が丹生録されたかを検出する。撮影ボタンの押下を検出すると（Ｓ５０２でＹｅｓ）、動画の撮影を開始する（Ｓ５０３）。動画の撮影中に、撮影ボタンが押下されて撮影終了指示が入力されたかを検出し（Ｓ５０４）、終了の指示が入力されるまで、動画の撮影を継続する。撮影終了の指示が入力されたことに応じて撮影を終了し、Ｓ５０５で、撮影開始から撮影終了までに撮影した動画を１つの動画ファイルとしてメモリカード１０６に記録する。
【００１６】
２−２、フレーム記録モード
まず、Ｓ５０６において、設定フレーム数ｆを取得する。フレーム記録モードでは、１ショットで撮影するフレーム数を設定可能であり、このフレーム数ｆは、不図示のフレーム記録設定画面で予めユーザが設定し、メモリ１０３に記録されている。ＤＶＣがフレーム記録モードになったときにフレーム数が設定されていない場合は、自動的にフレーム記録設定画面を表示し、ユーザにフレーム数を設定させるようにすると良い。
【００１７】
その後、撮影ボタンが押下されるまで、撮影スタンバイ状態となり、撮影ボタンが押下されて撮影開始の指示が入力されると（Ｓ５０７でＹｅｓ）、Ｓ５０８で１ショット分の動画の撮影を開始する。Ｓ５０８では、撮影↓た動画が、Ｓ５０６で取得した設定フレーム数ｆとなると自動的に動画の撮影を終了し、再びフレーム記録スタンバイ状態となる。つまり、フレーム記録モードでは、１ショットとして、フレーム数ｆの動画が撮影される。
【００１８】
フレーム記録モードが終了するまで、Ｓ５０７、Ｓ５０８の処理が繰り返され、ユーザが、撮影ボタンを押下する度に、フレーム数ｆの動画が撮影される。フレーム記録モードが終了すると（Ｓ５０９でＹｅｓ）、フレーム記録モードを開始してから終了するまでに撮影された全ての動画を１つの動画ファイルとしてメモリカード１０６に記録する（Ｓ５１０）。つまり、フレーム記録モードを開始してから終了するまでに撮影された時間的に隔たりのある設定フレーム数の複数ショットの動画が、１つの連続した動画として記録されることになる。
【００１９】
２−３、インターバル記録モード
まず、Ｓ５１１において、設定フレーム数ｆ、インターバル時間ｔを取得する。インターバル記録モードでは、１ショットで撮影するフレーム数ｆと、インターバル時間ｔを設定可能であり、これらは、不図示のインターバル記録設定画面で予めユーザが設定し、メモリ１０３に記録されている。ＤＶＣがインターバル記録モードになったときにこれらの設定値が設定されていない場合は、自動的にインターバル記録設定画面を表示し、ユーザにフレーム数ｆとインターバル時間ｔを設定させるようにすると良い。
【００２０】
その後、撮影ボタンが押下されるまで、撮影スタンバイ状態となり、撮影ボタンが押下されて撮影開始指示が入力されると（Ｓ５１２でＹｅｓ）、Ｓ５１３で１ショット分の動画の撮影を開始する。Ｓ５１３では、撮影した動画が、Ｓ５１１で取得した設定フレーム数ｆとなると自動的に動画の撮影を終了し、再びフレーム記録スタンバイ状態となる。つまり、インターバル記録モードでも、フレーム記録モードと同様に、１ショットとして、フレーム数ｆの動画が撮影される。１ショット分の動画撮影後には、撮影終了からの時間ｃｔのカウントを開始する（Ｓ５１４）。ｃｔ≧ｔとなった場合（Ｓ５１６でＹｅｓ）、つまり、前回の１ショットの撮影終了から、インターバル時間を経過したら、再びＳ３１３で１ショット分の動画の撮影を行う。１回分の撮影が終了し、次の撮影を待機しているときには、ｃｔのカウントを行うと共に、メモリカード１０６の記録容量の残量を確認し、次の１ショット分、つまり、フレーム数ｆの動画を撮影しても記録可能であるかを判断する（Ｓ５１５）。記録可能であればインターバル記録モードを続行し、記録不可能の場合は、Ｓ５１７で動画をメモリカード１０６に記録して、インターバル記録モードを終了する。Ｓ５１７では、インターバル記録モードを開始し、撮影ボタンが押下されてから撮影された全ての動画を１つの動画ファイルとしてメモリカード１０６に記録する。つまり、インターバル時間の間隔をあけて撮影された複数のショットが、１つの連続した動画として記録される。
【００２１】
このように、インターバル記録モードでは、１回の撮影指示を行うと、フレーム数ｆの動画を撮影→インターバル時間ｔ待機→フレーム数ｆの動画を撮影→インターバル時間ｔ待機…  というように、撮影する。つまり、設定フレーム数ｆで１ショットを撮影後、インターバル時間が経過すると、自動的に次のショットの撮影が開始される。そしてインターバル記録モードでは、メモリカードの記録容量がなくなるまで撮影が実行される。
【００２２】
本実施形態では、メモリカードの記録容量がなくなるまで撮影が実行されるとしたが、インターバル記録モード終了の捜査に応じてＳ５１７の記録処理を行い、インターバル記録を終了するようにしても良い。
【００２３】
３、表示処理
次に、図２〜４、図６〜８を参照して、ＤＶＣにおけるメモリカード（記録媒体）に記録可能な残量の表示の方法について説明する。図６〜８の処理も撮影処理と同様に、プログラムメモリから読み出したプログラムに基づいて、ＣＰＵ１０２がＤＶＣの各部を制御することにより実行される。
【００２４】
３−１、通常撮影モード時の残量表示処理
最初に、動画撮影モードが通常撮影モード時の残量表示処理について説明する。
【００２５】
残量表示処理をスタートすると、ＤＶＣに装着されているメモリカード１０６について記録可能な記録容量の残量に関する情報を取得する（Ｓ６０１）。Ｓ６０１で取得したメモリカードの残容量と、撮影条件（フレームレート、撮影サイズ等）から、記録可能時間Ｔを算出する（Ｓ６０２）。Ｓ６０２で算出した記録可能時間Ｔが１分以上か１分未満かどうかを判別し（Ｓ６０３）、１分以上なら、図２（ａ）のように記録可能時間Ｔを黒文字で表示し、通常の残量表示を行う（Ｓ６０４）。１分未満ならば図２（ｂ）のように記録可能時間Ｔを赤文字で警告表示する（Ｓ６０５）。
【００２６】
図２は、通常撮影モード時の残量表示の例である。図２（ａ）は記録可能時間が１分以上の場合の表示であり、メモリカードを示すアイコンが緑色で表示され、その隣に記録可能時間Ｔが黒字で表示されている。その下には、動画撮影時のフレームレートの設定＜３０Ｐ＞が表示されている。図２（ｂ）は、記録可能時間が１分未満の場合の表示であり、ＳＤカードを示すアイコンとその隣の記録可能時間Ｔは赤色で表示されている。
【００２７】
３−２、フレーム記録モード時の残量表示処理
フレーム記録モードの場合も、まず、ＤＶＣに装着されているメモリカード１０６について、記録可能な記録容量の残量に関する情報を取得する（Ｓ７０１）。Ｓ７０１で取得したメモリカードの残容量と、撮影条件（フレームレート、撮影サイズ等）から、記録可能時間Ｔを算出する（Ｓ７０２）。Ｓ７０２において記録可能時間を算出する際、撮影済みで、メモリカードに未記録の動画データがメモリ１０３に一時記録されている場合は、一時記録されているデータも考慮する。一時記録されている動画をメモリカードに記録した後にメモリカードに記録可能となる記録可能時間Ｔを算出する。Ｓ７０２で算出した記録可能時間Ｔが１分以上かどうかを判別し（Ｓ７０３）、１分以上なら、図３（ａ）のように、記録可能時間で残量表示を行う（Ｓ７０４）。図３（ａ）の残量の表示方法は、通常撮影モードの通常の残量表示（残量が１分以上のとき）と同じであるが、フレーム記録モードの場合は、残量と共に、設定プレーム数ｆの値も表示される。記録可能時間Ｔが１分未満であった場合には、Ｓ７０５において、Ｓ７０１で取得したメモリカードの残容量、撮影条件（撮影サイズ）等から、記録可能フレーム数Ｆを算出する。記録可能フレーム数Ｆを算出する場合も、記録可能時間Ｔと同様に、撮影済みであるがメモリカードに未記録の動画データがメモリ１０３に一時記録されている場合は、一時記録されているデータも考慮して算出する。また、記録可能フレーム数は、Ｆ＝＜フレームレート＞÷＜記録可能時間Ｔ＞で算出しても良い。そして、Ｓ７０６で、フレーム記録モードで１回（１ショット）で撮影されるフレーム数ｆの設定をメモリ１０３から読み出し、Ｓ７０７において、後何回、フレーム数ｆの動画を撮影可能なを示す、撮影可能回数（記録可能ショット数）Ｓを算出する（Ｓ３０９）。撮影可能回数Ｓは、Ｓ＝Ｆ÷ｆで求められ、Ｓは、Ｆ÷ｆの小数点以下を切り捨てた値とする。次に、撮影可能回数Ｓが５０回よりも多いかどうかを判別し（Ｓ７０８）、５０回よりも多い場合には、図３（ｂ）のように、メモリカードの残容量として撮影可能回数Ｓを表示する（Ｓ７０９）。、５０回以下の場合は、図３（ｃ）のように、撮影可能回数Ｓを赤字で警告表示する（Ｓ７１０）。
【００２８】
図３は、フレーム記録モード時のディスプレイ１０４への残量の表示の例を示す図であり、画面上部にはフレーム記録モードのスタンバイ状態を示す「ＦＲＭ  ＲＥＣ  ＳＴＢＹ」の文字が表示されている。右上にＤＶＣのメモリカードの残量量として、記録可能時間が「２分」と表示さ、右下には動画のフレームレートの設定＜３０Ｐ＞されている。そして、フレーム記録時には、通常撮影時とは異なり、１ショットで撮影されるフレーム数の設定＜６ｆｒｍ÷ｓｈｏｔ＞も表示される。図３（ａ）では、記録可能残時間がまだ２分以上あるので、この画面では残容量は記録可能な時間として時間単位での表示が行われている。図３（ｂ）は、図３（ａ）の状態からさらに撮影を続け、記録可能残時間が１分をきった場合の表示である。記録可能時間が残り１分未満であっても、撮影自体は可能であり、設定フレーム数ｆが小さい場合は、また多くの回数の撮影が可能であるため、記録可能時間ではなくも記録可能回数で表示している。つまり、フレーム記録モードでは、メモリカードの残容量に応じて、残量表示の単位が、時間から撮影回数になる。図３（ｃ）は、さらに撮影を続け、記録可能回数が残り少なくなってきた場合の表示例である。記録可能回数が少ないことを示すため、記録可能時間とメモリカードのアイコンを赤字で表示し、さらに、点滅させて、警告表示を行っている。
【００２９】
本実施形態では、通常は記録可能時間を黒文字で表示するのに対し、メモリカードの残量が少なくなり警告表示を行う場合は、赤文字で表示している。しかし、通常の残容量の表示と表示形態を異ならせてユーザが認識しやすければどのような表示形態であっても良い。例えば、表示の色を変えたり、フォントタイプを変えたり、点滅表示、枠や背景色を変えて表示することなどが考えられる。
【００３０】
以上のように本実施形態では、フレーム記録モード時には、メモリカードの残容量が一定値以下になった場合に、記録可能時間での記録残量表示ではなく、記録可能ショット数での記録残量表示へ切り替えている。記録可能ショット数ではなく、記録可能フレーム数を表示させてもよい。
【００３１】
また、フレーム記録モードの場合に、メモリカードの残量に関わらずに、記録可能時間ではなく記録可能ショット数を表示させても良い。また、フレーム記録モード時には、記録可能時間と記録可能ショット数の両方を表示するようにしても良い。
【００３２】
だが、例えば、フレーム記録モードにおいて、１回の記録フレーム数が例えば６フレーム、フレームレートが３０Ｐ、記録可能時間数が１時間（＝３６００秒）であった場合には、
記録可能ショット数＝３６０００（秒）ｘ３０（フレーム）÷６（フレーム）＝１８０００（回）
となり、膨大な数となってしまう。さらに、出来上がる動画シーンの記録時間を意識して撮影している場合、時間の把握は難しくなり、記録可能ショット数から計算して時間を認識しなければならなって煩わしくなることも考えられる。
【００３３】
また、例えば、同じ条件（設定フレーム数ｆ＝６フレーム、フレームレート＝３０Ｐ）で、撮影可能時間が１分となった場合、記録可能ショット数は、
記録可能ショット数＝６０（秒）ｘ３０（フレーム）÷６（フレーム）＝３００回
となり、撮影可能時間としては、残り短くても、十分な撮影回数がある。特に、記録可能時間を分単位でしか表示しないような場合は、まだ３００ショットも撮影可能であるのにもかかわらず、記録可能時間として０分と表示されてしまい、ユーザは、後どのくらいメモリカードに記録可能であるのかを認識することが難しい。
【００３４】
そのため、メモリカードの残容量が多い場合は、撮影可能回数は膨大な数値になってしまうので記録可能時間で表示し、残容量が小さくなった場合には、撮影可能回数で表示するほうが、ユーザは、メモリカードの残量をより認識しやすくなる。
【００３５】
本実施形態では、記録可能時間と記録可能ショット数どちらか１つのみを表示する例で説明したが。しかし、フレーム記録モード時には、通常は、記録可能時間と記録可能ショット数の両方を表示させる。そして、記録可能ショット数が所定の閾値より大きい場合は、記録可能時間のみを、記録可能時間が所定の閾値よりも小さい場合は、記録可能ショット数のみを表示するようにしても良い。
【００３６】
３−３、インターバル記録モード時の残量表示処理
インターバル記録モードにおける、Ｓ８０１〜Ｓ８０５の処理は、フレーム記録モード時のＳ７０１〜Ｓ７０５の処理とほぼ同じ処理であるため、説明を省略する。インターバル記録モード時には、撮影可能ショット数（撮影可能回数）Ｓが、５０未満の場合には、フレーム記録時と異なる処理を行うので、その処理について説明する。
【００３７】
Ｓ８０６では、１ショットの撮影フレーム数  ｆ  、インターバル時間  ｔ、カウント時間  ｃｔ  の情報をメモリ１０３から取得する。そして、Ｓ８０７では、Ｓ７０７と同様に、撮影可能フレーム数Ｆと設定フレームｆとから撮影可能回数Ｓを算出する。Ｓ８０８では、、フレームレートから、１ショットの撮影に要する時間Ｔｓ（＝＜設定フレームｆ＞÷＜フレームレート＞）を算出する。Ｓ８０９では、メモリカードの容量が足りなくなり、インターバル記録が終了するまでの時間Ｔｅを求め（Ｔｅ＝Ｓ×Ｔｓ＋（Ｓ−１）×ｔ＋ｃｔ）、Ｔｅが１分未満であるかを判断する。Ｔｅが１分以上の場合は、撮影可能回数Ｓを図４（ｂ）のように表示し（Ｓ８１０）、Ｔｅが１分未満の場合は、図４（ｃ）のように撮影可能回数Ｓを警告表示する。そして、撮影可能回数Ｓの警告表示と共に、もうすぐメモリカードの残容量がなくなり、インターバル記録モードが終了することをユーザに警告する（Ｓ８１１）。
【００３８】
このように、フレーム記録モードでは、記録可能回数が、５０回未満になった場合に警告表示を行ったが、インターバル記録モードでは、メモリカードの容量が足りなくなり、インターバル記録が終了するまでの時間Ｔｅが１分未満になった場合に警告表示を行う。
【００３９】
インターバル記録モードでは、フレーム記録モード時とディスプレイ１０４への表示が異なっているため、図４を参照して説明する。図４（ａ）〜（ｃ）では、インターバル記録のスタンバイ状態を示すＩＮＴ  ＲＥＣ  ＳＴＢＹ、またはインターバル記録中であることを示すＩＮＴ  ＲＥＣが画面上部に表示されている。さらにインターバル時間（ＩＮＴ  ＴＩＭＥ）、前のショットの撮影からのカウント表示（Ｔｉｍｅ  Ｃｏｕｎｔ）、フレームレート、１回（ショット）で撮影するフレーム数の設定が表示されている。
【００４０】
図４（ａ）は、Ｓ８０４における記録可能時間での残量表示の例である。残量の表示方法はフレーム記録モード時と同じなので、説明は省略する。
【００４１】
図４（ｂ）は、Ｓ８１０における撮影可能回数Ｓでの残量表示の例である。記録可能時間Ｔが１分未満となった場合に、撮影可能回数Ｓでの表示が行われる。
【００４２】
図４（ｃ）は、Ｓ８１１における残量表示の例である。メモリカードの容量が足りなくなり、インターバル記録が終了するまでの時間Ｔｅが１分未満になった場合に、メモリカードのアイコンと撮影可能回数を赤で点滅表示している。さらに、もうすぐメモリカードの残容量がなくなり、インターバル記録モードが終了することを示すメッセージも表示している。本実施形態では、もうすぐメモリカードの残量がなくなることを表示したが、音で通知しても良いし、また、Ｔｅを表示することにより、後何秒後にインターバル記録が終了するのかを通知しても良い。
【００４３】
インターバル記録モードでは、フレーム記録モードと同様、図４（ｂ）（ｃ）のように、撮影可能回数による残容量表示が行われている。しかし、インターバル記録モードの場合は、図４（ｃ）のように、記録可能回数が５０回よりも少ない２５回であるにも関わらず、残容量警告となっていない。
【００４４】
それは、図４（ｂ）では、
撮影可能回数Ｓ＝２５（Ｓｈｏｔ）、インターバル時間ｔ＝１０（ｓｅｃ）、カウント時間ｃｔ＝３（ｓｅｃ）、フレームレートＦＲ＝３０（Ｆｒｍ／ｓｅｃ）、設定フレーム数ｆ＝６（ｆｒｍ／Ｓｈｏｔ）
であるため、撮影が終了するまでの時間Ｔｅが
Ｔｅ＝Ｓ×ｆ÷ＦＲ＋（Ｓ−１）×ｔ＋ｃｔ
＝２５×６÷３０＋（２５−１）×１０＋３＝２４８（ｓｅｃ）
となり、Ｔｅ＝２４８（ｓｅｃ）＞１（ｍｉｎ）であるので、警告表示はされない。
【００４５】
図４（ｃ）では、図４（ｂ）の状態から、撮影可能回数Ｓ＝６（Ｓｈｏｔ）、カウント時間ｃｔ＝１（ｓｅｃ）と変化したため（他の値は予め設定されている値なので変化はない）、撮影が終了するまでの時間Ｔｅは、
Ｔｅ＝＝６×６÷３０＋（６−１）×１０＋１＝（ｓｅｃ）＝５２．２（ｓｅｃ）
であるため、終了時間まで１分未満となっており、警告表示されている。
【００４６】
インターバル記録モードの場合、インターバル時間も考慮することで、メモリカードの残量がなくなりインターバル記録が不可能となりインターバル記録が終了するまでの時間を算出することが可能となる。そのため、終了するまでの時間が１分未満になったことをユーザに通知できる。そのため、ユーザーは、メモリカード交換などのタイミングを確認できるようになる。
【００４７】
このように、メモリカードの残量を表示する際には、ＤＶＣは現在の記録モードを判断し、記録モードに応じて、図６，７，８のいずれかの表示処理を行う。この表示処理は、撮影中や撮影待機中に所定間隔で繰り返し行い、メモリカードの残量がリアルタイムで分かるようにするとよい。
【００４８】
また図７のＳ７０６、図８のＳ８０６では、フレームレート、設定フレーム数ｆ、インターバル時間ｔの情報を取得する処理があるが、これは、図５のＳ５０６やＳ５１１で取得したものを使用すると良い。
【００４９】
上述の実施形態では、記録可能時間Ｔが１分以上か否か、記録可能回数が５０回以上か否か、記録不可になるまでの時間が１分以上か否かで表示形態を切り替えた。しかし、これらの閾値についてはこの実施形態に限定されず、装置に適した値を設定すると良い。
【００５０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。上述の実施形態では、ビデオカメラを例に説明してきたが、本実施形態と同様の機能を動画を撮影可能なデジタルスチルカメラやカメラ付携帯電話で実施しても良い。デジタルカメラと通信し、デジタルカメラの動作をリモート制御可能なコンピュータでも、本発明は実現可能である。このようなコンピュータで実現する場合は、コンピュータの表示部や、コンピュータに接続される表示装置に図２、図３、図４のような表示をさせるように、コンピュータが動作すればよい。、
また、上述の実施形態では、ＤＶＣの記録媒体として、メモリカードを例に説明したが、ＤＶＤやＨＤＤ等の他の記録媒体でも本発明は実現できる。
【００５１】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００５２】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５３】
その場合、プログラムの機能を有していれば、オブジェクトコード、インタプリタにより実行されるプログラム、ＯＳに供給するスクリプトデータ等、プログラムの形態を問わない。
【００５４】
プログラムを供給するための記録媒体としては、例えば、ハードディスク、磁気テープ等の磁気記録媒体、光／光磁気記憶媒体、不揮発性の半導体メモリでもよい。
【００５５】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2011217088.tif 000003
【図２】
2011217088.tif 000004
【図３】
2011217088.tif 000005
【図４】
2011217088.tif 000006
【図５】
2011217088.tif 000007
【図６】
2011217088.tif 000008
【図７】
2011217088.tif 000009
【図８】
2011217088.tif 000010